(57)【要約】【課題】レリーズ時のシャッタの作動音及びその作動により発生するショックを極力小さくすることのできるデジタル一眼レフカメラを提供することである。【解決手段】被写体観察時は、レンズユニット５１を介して入射された光束は、エレクトレットシャッタユニット２１のメインミラー７０で反射されて、フォーカシングスクリーン７１に結像される。更に、ペンタプリズム７２、ルーペレンズ７３を通して、撮影者により正立正像が観察される。撮像動作時は、エレクトレットシャッタユニット２１内のシャッタ幕が駆動されて開口部が全開状態となる。これにより、レンズユニット５１を介して入射された被写体光束は、エレクトレットシャッタユニット２１を透過してイメージャ４２に導かれる。【選択図】      図６
2005331828.tif 000002
【特許請求の範囲】
【請求項１】
静電力を用いてシャッタ幕を駆動する静電シャッタ装置を有するデジタル一眼レフカメラに於いて、
上記静電シャッタ装置の被写体光の入射する側に半透過特性を有する部材を配置し、上記部材によって反射された光を被写体像のファインダ光学系に導き、透過した光を撮像素子に導くようにしたことを特徴とするデジタル一眼レフカメラ。
【請求項２】
上記部材は、上記静電シャッタ装置と平行に配置されていることを特徴とする請求項１に記載のデジタル一眼レフカメラ。
【請求項３】
上記静電シャッタ装置のシャッタ幕は、上記部材と平行に走行することを特徴とする請求項１に記載のデジタル一眼レフカメラ。
【請求項４】
上記部材は、ビームスプリッタプリズムであることを特徴とする請求項１に記載のデジタル一眼レフカメラ。
【請求項５】
上記静電シャッタ装置の被写体光の入射する面に反射防止幕が形成されていることを特徴とする請求項１に記載のデジタル一眼レフカメラ。
【請求項６】
静電力を用いてシャッタ幕を駆動する静電シャッタ装置を有するデジタル一眼レフカメラに於いて、
被写体光束をファィンダ光学系側と撮像素子側に分離するビームスプリッタプリズムを有し、該ビームスプリッタプリズムの上記撮像素子側の射出面に上記静電シャッタを一体的に配置したことを特徴とするデジタル一眼レフカメラ。
【請求項７】
上記静電シャッタ装置は、表面に複数の駆動用電極が設けられた電極部材と、上記駆動用電極に電圧を印加した際に生じる静電力を受けて、上記電極部材に対して相対移動する移動部材とを含んでおり、上記ビームスプリッタプリズムの上記撮像素子側射出面と上記電極部材とで上記移動部材を挟むように構成されていることを特徴とする請求項６に記載のデジタル一眼レフカメラ。
【請求項８】
上記静電シャッタ装置のシャッタ幕は、上記ビームスプリッタプリズムの射出面と平行に走行することを特徴とする請求項６に記載のデジタル一眼レフカメラ。
【請求項９】
上記静電シャッタ装置の被写体光の入射する面に反射防止幕が形成されていることを特徴とする請求項６に記載のデジタル一眼レフカメラ。
【請求項１０】
撮影レンズを介して被写体像を観察するファインダ光学系と、
上記撮影レンズを介して入射された被写体光束を電気信号に変換する撮像素子と、
上記撮影レンズと上記撮像素子との間の光路上に配置されて、静電力を用いてシャッタ幕を駆動する静電シャッタ装置と、
を備えたデジタル一眼レフカメラに於いて、
上記静電シャッタ装置は、被写体光の入射する側に配置された半透過性部材を有し、上記撮影レンズを介して入射されて上記半透過性部材で反射された被写体光束を上記ファインダ光学系に導き、上記半透過性部材を透過した被写体光束を上記撮像素子に導くことを特徴とするデジタル一眼レフカメラ。
【請求項１１】
上記半透過性部材は、上記静電シャッタ装置のシャッタ幕と平行に配置されていることを特徴とする請求項１０に記載のデジタル一眼レフカメラ。
【請求項１２】
上記静電シャッタ装置のシャッタ幕は、上記半透過性部材と平行に走行することを特徴とする請求項１０に記載のデジタル一眼レフカメラ。
【請求項１３】
上記半透光性部材は、ビームスプリッタプリズムであることを特徴とする請求項１０に記載のデジタル一眼レフカメラ。
【請求項１４】
上記静電シャッタ装置の被写体光の入射する面には反射防止幕が形成されていることを特徴とする請求項１０に記載のデジタル一眼レフカメラ。
【請求項１５】
撮影レンズを介して被写体像を観察するファインダ光学系と、
上記撮影レンズを介して入射された被写体光束を電気信号に変換する撮像素子と、
上記撮影レンズと上記撮像素子との間の光路上に配置されて、静電力を用いてシャッタ幕を駆動する静電シャッタ装置と、
を備えたデジタル一眼レフカメラに於いて、
上記被写体光束を上記ファィンダ光学系側と上記撮像素子側に分離するもので、該撮像素子側の射出面に上記静電シャッタ装置を一体的に配置したビームスプリッタプリズムを更に具備することを特徴とするデジタル一眼レフカメラ。
【請求項１６】
上記静電シャッタ装置は、表面に複数の駆動用電極が設けられた電極部材と、上記駆動用電極に電圧を印加した際に生じる静電力を受けて、上記電極部材に対して相対移動する移動部材とを含んでおり、上記ビームスプリッタプリズムの上記撮像素子側射出面と上記電極部材とで上記移動部材を挟むように構成されていることを特徴とする請求項１５に記載のデジタル一眼レフカメラ。
【請求項１７】
上記静電シャッタ装置のシャッタ幕は、上記ビームスプリッタプリズムの射出面と平行に走行することを特徴とする請求項１５に記載のデジタル一眼レフカメラ。
【請求項１８】
上記静電シャッタ装置の被写体光束の入射する面に反射防止幕が形成されていることを特徴とする請求項１５に記載のデジタル一眼レフカメラ。
【請求項１９】
撮影レンズを介して被写体像を観察するファインダ光学系と、
上記撮影レンズを介して入射された被写体光束を電気信号に変換する撮像素子と、
上記撮影レンズと上記撮像素子との間の光路上に配置されて、静電力を用いてシャッタ幕を駆動する静電シャッタ装置と、
を備えたデジタル一眼レフカメラに於いて、
上記静電シャッタ装置は、被写体光の入射する側に配置された半透過性部材を有し、上記シャッタ幕が上記被写体光束の光路を遮蔽する位置にある場合は、上記撮影レンズを介して入射された被写体光束を反射して上記ファインダ光学系に導き、上記シャッタ幕が上記被写体光束の光路を開放する位置にある場合は、上記半透過性部材を透過した被写体光束を上記撮像素子に導くことを特徴とするデジタル一眼レフカメラ。
【請求項２０】
上記半透過性部材は、上記静電シャッタ装置のシャッタ幕と平行に配置されていることを特徴とする請求項１９に記載のデジタル一眼レフカメラ。
【請求項２１】
上記静電シャッタ装置のシャッタ幕は、上記半透過性部材と平行に走行することを特徴とする請求項１９に記載のデジタル一眼レフカメラ。
【請求項２２】
上記半透光性部材は、ビームスプリッタプリズムであることを特徴とする請求項１９に記載のデジタル一眼レフカメラ。
【請求項２３】
上記静電シャッタ装置の被写体光の入射する面には反射防止幕が形成されていることを特徴とする請求項１９に記載のデジタル一眼レフカメラ。
【発明の詳細な説明】
【技術分野】
【０００１】
本発明はデジタル一眼レフカメラに関し、より詳細には静電アクチュエータの原理を用いたシャッタ装置を撮影光路内に設けたデジタル一眼レフカメラに関するものである。
【背景技術】
【０００２】
一般に、一眼レフレックスタイプのカメラ（以下、単に一眼レフカメラと略記する）の場合、フィルムまたは撮像素子の前面にフォーカルプレーンシャッタが配置されて、露光量の調整が行われるように構成されている。そして、近年のフォーカルプレーンシャッタは、高速化のために、先幕及び後幕を軽量な複数枚の金属羽根で形成し、それぞれをバネ力で走行させる方式のものが一般的に知られている。
【０００３】
そして、一般的な一眼レフカメラは、ファインダへ被写体からの光線を導く第１反射面が、レリーズ時に機械的に退避動作を行うクイックリターン方式である。
【０００４】
こうした一眼レフカメラのミラーとして、１個のモータの同一方向回転によって可動ミラーの撮影光路侵入状態となる位置から露光退避状態となる位置への移動、及びその逆の位置への移動を行わせると共に、シャッタのチャージ状態からチャージ解除状態への駆動及び該チャージ解除状態から該チャージ状態への駆動も行わせる技術が知られている（例えば、特許文献１参照）。
【０００５】
また、沈胴信号の入力に基づいて電磁石を不作動とすると共に、シャッタチャージ部材をシャッタチャージカムに沿って滑らかに移動させることにより、シャッタ羽をゆっくり開閉させてフォーカルプレーンシャッタのチャージ状態を解除するレンズ沈胴式一眼レフレックスカメラが知られている（例えば、特許文献２参照）。
【特許文献１】特公平７−２７１５６号公報
【特許文献２】特開平５−１７３２４６号公報
【発明の開示】
【発明が解決しようとする課題】
【０００６】
しかしながら、上述したような構成の一眼レフカメラでは、シャッタの作動に伴う衝撃音や、動力源のモータ音等が発生する。更に、シャッタの作動音も、同様にシャッタ幕の走行終了時の衝撃音や動力源のモータ音等が発声する。このため、こうした音が発生してほしくない条件下での撮影時には、当該カメラを使用することができないという課題を有していた。
【０００７】
加えて、シャッタの作動の衝撃によって発生するショックによって、カメラブレが発生する虞れがある等の課題を有していた。
【０００８】
したがって本発明は、上記実状に鑑みてなされたものであり、レリーズ時のシャッタの作動音及びその作動により発生するショックを極力小さくすることのできるデジタル一眼レフカメラを提供することを目的とする。
【課題を解決するための手段】
【０００９】
すなわち、請求項１に記載の発明は、静電力を用いてシャッタ幕を駆動する静電シャッタ装置を有するデジタル一眼レフカメラに於いて、上記静電シャッタ装置の被写体光の入射する側に半透過特性を有する部材を配置し、上記部材によって反射された光を被写体像のファインダ光学系に導き、透過した光を撮像素子に導くようにしたことを特徴とする。
【００１０】
請求項２に記載の発明は、請求項１に記載の発明に於いて、上記部材は、上記静電シャッタ装置と平行に配置されていることを特徴とする。
【００１１】
請求項３に記載の発明は、請求項１に記載の発明に於いて、上記静電シャッタ装置のシャッタ幕は、上記部材と平行に走行することを特徴とする。
【００１２】
請求項４に記載の発明は、請求項１に記載の発明に於いて、上記部材は、ビームスプリッタプリズムであることを特徴とする。
【００１３】
請求項５に記載の発明は、請求項１に記載の発明に於いて、上記静電シャッタ装置の被写体光の入射する面に反射防止幕が形成されていることを特徴とする。
【００１４】
請求項６に記載の発明は、静電力を用いてシャッタ幕を駆動する静電シャッタ装置を有するデジタル一眼レフカメラに於いて、被写体光束をファィンダ光学系側と撮像素子側に分離するビームスプリッタプリズムを有し、該ビームスプリッタプリズムの上記撮像素子側の射出面に上記静電シャッタを一体的に配置したことを特徴とする。
【００１５】
請求項７に記載の発明は、請求項６に記載の発明に於いて、上記静電シャッタ装置は、表面に複数の駆動用電極が設けられた電極部材と、上記駆動用電極に電圧を印加した際に生じる静電力を受けて、上記電極部材に対して相対移動する移動部材とを含んでおり、上記ビームスプリッタプリズムの上記撮像素子側射出面と上記電極部材とで上記移動部材を挟むように構成されていることを特徴とする。
【００１６】
請求項８に記載の発明は、請求項６に記載の発明に於いて、上記静電シャッタ装置のシャッタ幕は、上記ビームスプリッタプリズムの射出面と平行に走行することを特徴とする。
【００１７】
請求項９に記載の発明は、請求項６に記載の発明に於いて、上記静電シャッタ装置の被写体光の入射する面に反射防止幕が形成されていることを特徴とする。
【００１８】
請求項１０に記載の発明は、撮影レンズを介して被写体像を観察するファインダ光学系と、上記撮影レンズを介して入射された被写体光束を電気信号に変換する撮像素子と、上記撮影レンズと上記撮像素子との間の光路上に配置されて、静電力を用いてシャッタ幕を駆動する静電シャッタ装置と、を備えたデジタル一眼レフカメラに於いて、上記静電シャッタ装置は、被写体光の入射する側に配置された半透過性部材を有し、上記撮影レンズを介して入射されて上記半透過性部材で反射された被写体光束を上記ファインダ光学系に導き、上記半透過性部材を透過した被写体光束を上記撮像素子に導くことを特徴とする。
【００１９】
請求項１１に記載の発明は、請求項１０に記載の発明に於いて、上記半透過性部材は、上記静電シャッタ装置のシャッタ幕と平行に配置されていることを特徴とする。
【００２０】
請求項１２に記載の発明は、請求項１０に記載の発明に於いて、上記静電シャッタ装置のシャッタ幕は、上記半透過性部材と平行に走行することを特徴とする。
【００２１】
請求項１３に記載の発明は、請求項１０に記載の発明に於いて、上記半透光性部材は、ビームスプリッタプリズムであることを特徴とする。
【００２２】
請求項１４に記載の発明は、請求項１０に記載の発明に於いて、上記静電シャッタ装置の被写体光の入射する面には反射防止幕が形成されていることを特徴とする。
【００２３】
請求項１５に記載の発明は、撮影レンズを介して被写体像を観察するファインダ光学系と、上記撮影レンズを介して入射された被写体光束を電気信号に変換する撮像素子と、上記撮影レンズと上記撮像素子との間の光路上に配置されて、静電力を用いてシャッタ幕を駆動する静電シャッタ装置と、を備えたデジタル一眼レフカメラに於いて、上記被写体光束を上記ファィンダ光学系側と上記撮像素子側に分離するもので、該撮像素子側の射出面に上記静電シャッタ装置を一体的に配置したビームスプリッタプリズムを更に具備することを特徴とする。
【００２４】
請求項１６に記載の発明は、請求項１５に記載の発明に於いて、上記静電シャッタ装置は、表面に複数の駆動用電極が設けられた電極部材と、上記駆動用電極に電圧を印加した際に生じる静電力を受けて、上記電極部材に対して相対移動する移動部材とを含んでおり、上記ビームスプリッタプリズムの上記撮像素子側射出面と上記電極部材とで上記移動部材を挟むように構成されていることを特徴とする。
【００２５】
請求項１７に記載の発明は、請求項１５に記載の発明に於いて、上記静電シャッタ装置のシャッタ幕は、上記ビームスプリッタプリズムの射出面と平行に走行することを特徴とする。
【００２６】
請求項１８に記載の発明は、請求項１５に記載の発明に於いて、上記静電シャッタ装置の被写体光束の入射する面に反射防止幕が形成されていることを特徴とする。
【００２７】
請求項１９に記載の発明は、撮影レンズを介して被写体像を観察するファインダ光学系と、上記撮影レンズを介して入射された被写体光束を電気信号に変換する撮像素子と、上記撮影レンズと上記撮像素子との間の光路上に配置されて、静電力を用いてシャッタ幕を駆動する静電シャッタ装置と、を備えたデジタル一眼レフカメラに於いて、上記静電シャッタ装置は、被写体光の入射する側に配置された半透過性部材を有し、上記シャッタ幕が上記被写体光束の光路を遮蔽する位置にある場合は、上記撮影レンズを介して入射された被写体光束を反射して上記ファインダ光学系に導き、上記シャッタ幕が上記被写体光束の光路を開放する位置にある場合は、上記半透過性部材を透過した被写体光束を上記撮像素子に導くことを特徴とする。
【００２８】
請求項２０に記載の発明は、請求項１９に記載の発明に於いて、上記半透過性部材は、上記静電シャッタ装置のシャッタ幕と平行に配置されていることを特徴とする。
【００２９】
請求項２１に記載の発明は、請求項１９に記載の発明に於いて、上記静電シャッタ装置のシャッタ幕は、上記半透過性部材と平行に走行することを特徴とする。
【００３０】
請求項２２に記載の発明は、請求項１９に記載の発明に於いて、上記半透光性部材は、ビームスプリッタプリズムであることを特徴とする。
【００３１】
請求項２３に記載の発明は、請求項１９に記載の発明に於いて、上記静電シャッタ装置の被写体光の入射する面には反射防止幕が形成されていることを特徴とする。
【発明の効果】
【００３２】
本発明によれば、レリーズ時のシャッタの作動音及びその作動により発生するショックを極力小さくすることのできるデジタル一眼レフカメラを提供することができる。
【発明を実施するための最良の形態】
【００３３】
以下、図面を参照して、本発明の実施形態を説明する。
【００３４】
はじめに、本発明に係る静電シャッタ装置の駆動原理について、図１及び図２を参照して説明する。
【００３５】
本シャッタ装置は、基本的に固定子１と移動子２とを備えており、移動子２は固定子１に対して図１（ａ）及び（ｂ）に於いて左右方向に移動自在に構成されている。そして、固定子１には、被写体からの光像を撮像素子（図示せず）に導くための開口部３が設けられている。更に、この固定子１には、上記移動子２の移動方向と直交する方向に、帯状の複数の延出された駆動電極４が所定の間隔で並設されている。
【００３６】
上記移動子２は、後述する永久分極された、延出された誘導体（以下、エレクトレットと称する）５の部位を複数備えている。
【００３７】
このような構成に於いて、駆動電極４に周波電圧を印加すると、駆動電極４と上述したエレクトレットとの間に吸引力若しくは反発力が発生し、結果的に移動子２が固定子１に対して相対移動する。したがって、移動子２が固定子１の開口部３を、開放若しくは遮蔽するように移動可能にしておけば、これによってシャッタ装置を構成することができる。
【００３８】
図１（ａ）はシャッタが開の状態を示し、図１（ｂ）はシャッタが閉の状態を示している。尚、固定子１に開口部３は必ずしも必要なものではなく、固定子１を透過部材として、図１（ａ）に示されるように、駆動電極４が設けられていない領域、すなわち、透過領域を形成しても良い。以下、被写体光束が通過するこのような領域を便宜的に開口部と称する。また、本構成に係るシャッタ装置を、エレクトレットシャッタと称するものとする。
【００３９】
図２は、こうしたエレクトレットシャッタの断面を模式的に示すと共に該エレクトレットシャッタの駆動回路を示した図である。
【００４０】
エレクトレットシャッタ７に於いて、固定子１に並設されたそれぞれの駆動電極４には、駆動回路１０からの電圧信号線が接続されている。これらの電圧信号線には、４相の電圧信号が印加されるようになっており、従って、駆動電極４には、４本毎に同一の電圧信号が印加される。図２では、駆動電極４にＡ、Ｂ、Ｃ、Ｄの符号を付してこの電圧信号を区別している。
【００４１】
移動子２には、固定子１との対向面に永久分極された誘導体（エレクトレット）５を複数備えている。
【００４２】
尚、この図は、あくまでも模式図であり、実際のエレクトレットシャッタに於ける電極やエレクトレット部位の数や配置間隔は、シャッタの大きさ、開口部の面積、エレクトレット部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００４３】
図２の左側には、上述したエレクトレットシャッタ７の構成と共に、エレクトレットシャッタ７に印加する電圧信号を発生するための駆動回路１０の構成が示されている。
【００４４】
パルス発生回路１２で生成した矩形波列（駆動パルス信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００４５】
図３は、上記駆動回路１０によって作成されて、駆動電極４Ａ〜４Ｄに印加される電圧信号列の例を示したタイミングチャートである。このうち、図３（ａ）は駆動電極４Ａ、図３（ｂ）は駆動電極４Ｂ、図３（ｃ）は駆動電極４Ｃ、図３（ｄ）は駆動電極４Ｄのタイミングチャートである。
【００４６】
尚、駆動電極４Ａ〜４Ｄの電圧の状態は、時間ｔ１〜ｔ４の４つの状態が、時間経過に対応して繰り返して変化するものである。
【００４７】
図４（ａ）〜（ｄ）は、上述したエレクトレットシャッタ７の動作を説明する図である。尚、図４（ａ）〜（ｄ）に於いて、同図右側方向をエレクトレットの進行方向として、後方側（左側）に正極（プラス）のエレクトレット（エレクトレット化部位）５ａ、前方側（右側）に負極（マイナス）のエレクトレット（エレクトレット化部位）５ｂが配列されているものとする。
【００４８】
図４（ａ）は、図３に示される時間ｔ１に切り替わった直後のエレクトレットと駆動電極４の電圧の状態（極性）を示している。
【００４９】
この状態に於いて、正極のエレクトレット５ａは、駆動電極Ａ（正極）から反発力を受け、駆動電極Ｂ（負極）から吸引力を受ける。また、負極のエレクトレット５ｂは、駆動電極Ｃ（負極）から反発力を受け、駆動電極Ｄ（正極）から吸引力を受ける。このため、移動子２は、図４（ａ）の右方向に力を受けて、１つの駆動電極ピッチｄ分右方向に移動する。
【００５０】
図４（ｂ）は、時間ｔ２に切り替わった直後のエレクトレットと駆動電極の電圧の状態を示している。
【００５１】
この状態に於いて、エレクトレット５ａは、駆動電極Ｂ（正極）から反発力を受け、駆動電極Ｃ（負極）から吸引力を受ける。また、エレクトレット５ｂは、駆動電極Ｄ（負極）から反発力を受け、駆動電極Ａ（正極）から吸引力を受ける。このため、移動子２は、図４（ｂ）の右方向に力を受けて、１つの駆動電極ピッチｄ分移動する。
【００５２】
同様に、図４（ｃ）は、時間ｔ３に切り替わった直後のエレクトレットと駆動電極の電圧の状態を示している。
【００５３】
この状態に於いて、エレクトレット５ａは、駆動電極Ｃ（正極）から反発力を受け、駆動電極Ｄ（負極）から吸引力を受ける。また、エレクトレット５ｂは、駆動電極Ａ（負極）から反発力を受け、駆動電極Ｂ（正極）から吸引力を受ける。このため、移動子２は、図４（ｃ）の右方向に力を受けて、１つの駆動電極ピッチｄ分移動する。
【００５４】
更に、図４（ｄ）は、時間ｔ４に切り替わった直後のエレクトレットと駆動電極の電圧の状態を示している。
【００５５】
この状態に於いて、エレクトレット５ａは、駆動電極Ｄ（正極）から反発力を受け、駆動電極Ａ（負極）から吸引力を受ける。また、エレクトレット５ｂは、駆動電極Ａ（負極）から反発力を受け、駆動電極Ｃ（正極）から吸引力を受ける。このため、移動子２は、図４（ｄ）の右方向に力を受けて、１つの駆動電極ピッチｄ分移動する。
【００５６】
上述したように、移動子２は１つの駆動電極ピッチｄ移動し、この動作が繰り返されることで、移動子２は図４（ａ）→（ｂ）→（ｃ）→（ｄ）のように右方向（図示矢印Ｆ方向）に移動する。尚、移動子２を図の左方向に移動するためには、駆動電極４に印加する電圧の極性を逆に切り替えれば良い。
【００５７】
次に、本発明の実施形態について説明する。
【００５８】
（第１の実施形態）
図５は本発明に係る第１の実施形態のデジタル一眼レフカメラに適用されるエレクトレットシャッタユニットの構成を示したもので、（ａ）は正面図、（ｂ）は断面図である。
【００５９】
本エレクトレットシャッタユニット（静電シャッタ装置）２１は、それぞれ独立して、撮影時に図示矢印Ｆ方向に走行する先幕（シャッタ先幕）２５ａと、後幕（シャッタ後幕）２５ｂとを有するフォーカルプレーンシャッタである。この先幕２５ａ、後幕２５ｂは、上述したエレクトレット５（図示せず）を備えている。そして、それぞれのエレクトレット５の対向面側には、複数の帯状の延出された電極部材である駆動電極（図５には示されないが、第１の駆動電極部位、第２の駆動電極部位）と、開口部（または透過部）２７ａ、２７ｂが設けられた固定子（固定部材）２９ａ、２９ｂが配設されている。
【００６０】
上記先幕２５ａ、後幕２５ｂは、それぞれ固定子２９ａ、２９ｂの長手方向に対して、移動自在に構成されている。そして、上記複数の電極は、図５には示されないが、上記固定子２９ａ、２９ｂ上で、上記先幕２５ａ、後幕２５ｂの移動方向と直交する方向に所定の間隔で並設されている。
【００６１】
上記エレクトレットシャッタユニット２１の被写体側（図５（ｂ）に於いて左側）と、後述するイメージャ側（図５（ｂ）に於いて右側）には、それぞれカバーガラス２３及び２４が設けられている。これらのカバーガラス２３及び２４は、該エレクトレットシャッタユニット２１の保護部材を兼用している。尚、少なくとも前面側のカバーガラス２３は、ハーフミラーで構成されており、反射防止幕が施されていてもよい。
【００６２】
また、固定子２９ａ及び２９ｂ上には、先幕２５ａ及び後幕２５ｂの走行方向に沿って、それぞれ先幕２５ａ及び後幕２５ｂの上下にガイド３５〜３８が設けられている。これらのガイド３５〜３８は、先幕２５ａ及び後幕２５ｂの走行を補助するためのものである。更に、固定子２９ａ及び２９ｂ上で、その端部近傍には、遮光性の封止部材３３及び３４が配設されている。
【００６３】
ここで、固定子２９ａ、２９ｂは、ガラス等を基板として構成されており、その表面に駆動電極（図示せず）が形成され、更に該駆動電極上に絶縁膜（図示せず）が設けられている。この絶縁膜が施されることにより、隣接する駆動電極間の短絡を防止している。
【００６４】
一方、先幕２５ａ、後幕２５ｂは、ポリイミドやテフロン（登録商標）が基材として用いられており、遮光材料を塗布する等の遮光処理が施されている。これにより、遮光幕としての機能を有することができる。したがって、エレクトレットシャッタユニット２１内の光の乱反射を防止することができる。
【００６５】
そして、これら先幕２５ａ、後幕２５ｂとして使用される基材（フィルム膜）の一方の面、この場合駆動電極と対向する面側には、コロナ放電法により複数のエレクトレットが形成されている（これをエレクトレット化するという）。本実施形態に於いては、正負の極性を有するエレクトレット部位が交互に配置されている（例えば、図４のエレクトレット５ａ、５ｂ参照）。
【００６６】
尚、上述した固定子２９ａ、２９ｂの開口部２７ａ、２７ｂは、エレクトレットシャッタユニット２１に設けられた開口部２７と対応する位置に設けられている。これにより、開口部２７より取り込まれた被写体光が、光電変換素子であるイメージャ（後述する）に導かれ、このイメージャにより当該被写体の像が光電変換される。
【００６７】
エレクトレットシャッタユニット２１は、先幕２５ａ、後幕２５ｂに誘導される電荷を利用するのではなく、エレクトレットに永久分極されている電荷を利用するため、幕の立ち上がり時間を短縮してシャッタ動作を高速化することができる。
【００６８】
加えて、エレクトレットの電荷量は任意に与えることが可能であることから、駆動力が最大となるような最適の電荷量を与えることができ、極めて大きな駆動力を得ることができる。したがって、後述するイメージャのサイズに応じた最適なエレクトレットシャッタユニット２１を構成することができる。
【００６９】
更に、先幕２５ａ、後幕２５ｂは素材として樹脂材料を用いることができるため、軽量である。例えば、先幕２５ａ、後幕２５ｂは、１０〜２０μｍの薄い膜で形成することが可能である。それ故、動作に必要な電力量は少なく、且つ静かな動作を実現することができ、また、作動に伴うショックや音が極めて小さくできる。
【００７０】
図６は、このエレクトレットシャッタユニット２１が搭載されたデジタル一眼レフカメラの概略配置構成を示した図である。
【００７１】
図６に於いて、このデジタル一眼レフカメラは、ボディユニット５０と、このボディユニット５０の前面部に、例えばアクセサリ装置として交換可能なレンズユニット５１と、を有して構成されている。
【００７２】
ボディユニット５０内には、レンズユニット５１内の図示されないレンズ群の光軸上に、上述したエレクトレットシャッタユニット２１が配置されている。このエレクトレットシャッタユニット２１の前面部は、半透光性部材であるハーフミラーで構成されたメインミラー７０が設けられている。このメインミラー７０で反射された入射光束は、フォーカシングスクリーン７１、ペンタプリズム７２を介してルーペレンズ７３に至る。
【００７３】
エレクトレットシャッタユニット２１の後方（図６に於いて右側）には、光学ローパスフィルタ４０と、光電変換素子であるイメージャ４２とが配置されている。尚、４３はイメージャ４２と光学ローパスフィルタ４０との間を封止するためのシール部材である。
【００７４】
また、エレクトレットシャッタユニット２１は、図６に於いては、略４５°に傾けられて配置された例が示されているが、これに限られるものではない。
【００７５】
いま、図示されない被写体からの光束が、レンズユニット５１を介して入射されるとする。被写体観察時は、レンズユニット５１を介して入射された光束は、エレクトレットシャッタユニット２１のメインミラー７０で反射されて、フォーカシングスクリーン７１に結像される。更に、ペンタプリズム７２を介してルーペレンズ７３を通して、撮影者により正立正像が観察される。
【００７６】
被写体観察時は、エレクトレットシャッタユニット２１の開口部２７、２７ａ及び２７ｂは全閉状態となっている。すなわち、先幕２５ａによって開口部２７、２７ａが覆われており、イメージャ４２に対して被写体光束が遮蔽される。
【００７７】
そして、撮像動作時は、図５（ａ）に示される矢印Ｆ方向に先幕２５ａが駆動されて、開口部２７、２７ａ及び２７ｂは全開状態となる。これにより、被写体光束がイメージャ４２に導かれる。
【００７８】
その後、所定時間が経過したときに、図５（ｂ）に示される矢印Ｆ方向に後幕２５ｂが駆動されて、開口部２７、２７ａ及び２７ｂが遮蔽される。これにより、開口部２７、２７ａ及び２７ｂは覆われて、完全に遮光された状態となる。したがって、再びメインミラー７０で反射された被写体光束が、ルーペレンズ７３を通して撮影者により観察可能な状態となる。
【００７９】
その後、先幕２５ａ、後幕２５ｂは、図５（ａ）に示される初期状態に復帰し、次の撮像動作に備えて待機する。
【００８０】
図７は、本発明の第１の実施形態に係るエレクトレットシャッタユニットを用いたデジタル一眼レフカメラの電気系のシステム構成を示すブロック図である。
【００８１】
図７に於いて、このカメラシステムは、ボディユニット５０と、アクセサリ装置として、例えば交換可能なレンズユニット（すなわちレンズ鏡筒）５１と、通信コネクタ５６を介して撮影した画像データを記録しておく記録メディア５２と、ストロボ通信コネクタ５７を介して外付けのストロボユニット５３とを有して構成されている。
【００８２】
上記レンズユニット５１は、上記ボディユニット５０の前面に設けられた、図示されないレンズマウントを介して着脱自在に装着可能である。そして、上記レンズユニット５１は、撮影レンズ６１ａ及び６１ｂと、絞り６２と、レンズ駆動機構６３と、絞り駆動機構６４と、レンズ制御用マイクロコンピュータ（以下、Ｌμｃｏｍと略記する）６５とから構成されている。
【００８３】
上記撮影レンズ６１ａ及び６１ｂは、レンズ駆動機構６３内に存在する図示されないＤＣモータによって、光軸方向に駆動される。絞り６２は、絞り駆動機構６４内に存在する図示されないステッピングモータによって駆動される。また、Ｌμｃｏｍ６５は、上記レンズ駆動機構６３や絞り駆動機構６４等、レンズユニット５１内の各部を駆動制御する。このＬμｃｏｍ６５は、通信コネクタ５５を介して、後述するボディ制御用マイクロコンピュータ８５と電気的に接続がなされ、該ボディ制御用マイクロコンピュータ８５の指令に従って制御される。
【００８４】
一方、ボディユニット５０は、以下のように構成されている。
【００８５】
レンズユニット５１内の撮影レンズ６１ａ及び６１ｂ、絞り６２を介して入射される図示されない被写体からの光束は、エレクトレットシャッタユニット２１のメインミラー７０で反射されて、フォーカシングスクリーン７１、ペンタプリズム７２を介してルーペレンズ７３に至る。
【００８６】
上記エレクトレットシャッタユニット２１は、上述したようにシャッタ先幕２５ａ、後幕２５ｂが走行することにより露出する開口部２７等を介して、一部の光束が透過する。そして、この透過した光束は、光学ローパスフィルタ４０を介してイメージャ４２に導かれる。
【００８７】
このボディユニット５０は、また、上記イメージャ４２に接続された撮像素子インターフェイス回路８０と、記憶領域として設けられたＳＤＲＡＭ８２と、液晶モニタ８３及び上記通信コネクタ５６を介して記録メディア５２とが、画像処理を行うための画像処理コントローラ８１に接続されている。これらは、電子撮像機能と共に電子記録表示機能を提供できるように構成されている。
【００８８】
上記記録メディア５２は、各種のメモリカードや外付けのハードディスクドライブ（ＨＤＤ）等の外部記録媒体であり、通信コネクタ５６を介してカメラボディ５０と通信可能、且つ交換可能に装着される。
【００８９】
上記画像処理コントローラ８１は、通信コネクタ５５と、測光回路８６と、ＡＦセンサ駆動回路８８と、駆動手段であるシャッタ駆動制御回路９０と、不揮発性メモリ（ＥＥＰＲＯＭ）９１等と共に、このボディユニット５０内の各部を制御するためのボディ制御用マイクロコンピュータ（以下、Ｂμｃｏｍと略記する）８５に接続されている。
【００９０】
上記Ｂμｃｏｍ８５には、当該カメラの動作状態を表示出力によって撮影者へ告知するための動作表示用ＬＣＤ９２と、カメラ操作スイッチ（ＳＷ）９３と、電源回路９５を介して電池９６とが接続されている。
【００９１】
尚、上記Ｂμｃｏｍ８５とＬμｃｏｍ６５とは、レンズユニット５１の装着時に於いて、通信コネクタ５５を介して通信可能に電気的接続がなされる。そして、デジタルカメラとしてＬμｃｏｍ６５がＢμｃｏｍ８５に従属的に協働しながら稼動するようになっている。
【００９２】
上記測光回路８６は、上記イメージャ４２に取り込まれた光束に基づいて測光処理する回路である。また、上記ＡＦセンサ駆動回路８８は、自動測距を行うためのＡＦセンサとしてのイメージャ４２を駆動制御するための回路である。また、シャッタ駆動制御回路９０は、上記エレクトレットシャッタユニット２１の先幕２５ａと後幕２５ｂの動きを制御すると共に、Ｂμｃｏｍ８５との間でシャッタの開閉動作を制御する信号とストロボと同調する信号の授受を行う。
【００９３】
不揮発性メモリ９１は、その他の記憶領域として、カメラ制御に必要な所定の制御パラメータを記憶する記憶手段であり、Ｂμｃｏｍ８５からアクセス可能に設けられている。
【００９４】
動作表示用ＬＣＤ９２は、当該カメラの動作状態を表示出力によって撮影者へ告知するためのものである。上記カメラ操作スイッチ９３は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００９５】
更に、上記電源回路９５は、電源としての電池９６の電圧ＶE を、当該カメラシステムの各回路ユニットが必要とする電圧ＶC に変換して供給するために設けられている。
【００９６】
ストロボユニット５３は、閃光発光部１０１と、ＤＣ／ＤＣコンバータ１０２と、ストロボ制御用マイクロコンピュータ１０３及び電池１０４とから成っている。そして、このストロボユニット５３は、ストロボ通信コネクタ５７を介して、ボディユニット５０と通信可能に装着可能である。
【００９７】
このように構成されたデジタルカメラの各部は、次のように稼動する。
【００９８】
先ず、画像処理コントローラ８１により、Ｂμｃｏｍ８５の指令に従って撮像素子インターフェイス回路８０が制御されて、撮像モジュール２０から画像データが取り込まれる。この画像データは、一時保管用メモリであるＳＤＲＡＭ８２に取り込まれる。このＳＤＲＡＭ８２は、画像データが変換される際のワークエリア等に使用される。また、この画像データは、ＪＰＥＧデータに変換された後には、記録メディア５２に保管されるように設定されている。
【００９９】
イメージャ４２からの測距用の出力は、ＡＦセンサ駆動回路８８を介してＢμｃｏｍ８５へ送信されて、周知の測距処理が行われる。一方、ペンタプリズム７２に隣接する接眼レンズ７３からは、撮影者が被写体を目視できる。また、上記イメージャ４２で取り込まれた光束は、測光回路８６内のホトセンサ（図示せず）へ導かれ、ここで検知された光量に基づいて周知の測光処理が行われる。
【０１００】
シャッタ駆動制御回路９０では、Ｂμｃｏｍ８５からシャッタを駆動制御するための信号が受取られると、その信号に基づいてシャッタユニット２１が制御される。それと共に、シャッタ駆動制御回路９０から、所定のタイミングでＢμｃｏｍ８５にストロボを発光させるためのストロボ同調信号が出力される。Ｂμｃｏｍ８５からは、このストロボ同調信号に基づいて、ストロボユニット５３に通信により発光指令信号が出力される。
【０１０１】
また、撮影者によって上述したカメラ操作スイッチ９３の中のモード変更スイッチが操作されて、撮影モードから画像表示モードへ切り換えられると、記録メディア５２に保管された画像データが読み出されて、液晶モニタ８３に表示可能である。記録メディア５２から読み出された画像データは、画像処理コントローラ８１に於いてビデオ信号に変換され、液晶モニタ８３にて出力表示される。
【０１０２】
電源スイッチ９８のオフによって電源回路９５の動作が停止された場合には、再び電源スイッチ９８がオンにされなければ電源回路の動作は開始されない。
【０１０３】
本実施形態のシャッタ装置は、図８に於けるエレクトレットシャッタユニット２１とシャッタ駆動制御回路９０により構成されている。
【０１０４】
図８は、シャッタ駆動制御回路９０とエレクトレットシャッタユニット２１との信号接続を示す構成図である。
【０１０５】
エレクトレットシャッタユニット２１には、上述したように、先幕２５ａと後幕２５ｂが備えられており、そのそれぞれの幕を駆動するために、図２に示されたものと同様の構成の位相器１１２ａ、１１２ｂを含む駆動手段としての駆動回路１１３ａ、１１３ｂが２系統設けられている。パルス発生回路１１１は、Ｂμｃｏｍ８５からの開閉制御信号に基づいて、駆動電極２８ａ、２８ｂを駆動する。これにより、先幕２５ａ、後幕２５ｂに設けられた永久分極された誘導体（エレクトレット）２６ａ、２６ｂが、駆動電極２８ａ、２８ｂのＡ〜Ｄに順次吸引され、先幕２５ａと後幕２５ｂが駆動される。こうして、図５（ａ）に示される開口部２７の全開全閉動作が制御される。
【０１０６】
また、Ｂμｃｏｍ８５からリセット信号を受取ったときは、先幕２５ａと後幕２５ｂが初期状態に駆動される。更に、パルス発生回路１１１からは、所定のタイミングでＢμｃｏｍ８５にストロボ同調信号が出力される。
【０１０７】
尚、上述した実施形態では、エレクトレットシャッタユニット２１は、被写体観察時に、シャッタ幕（先幕２５ａ、後幕２５ｂ）により開口部２７を覆い、被写体からの光束をメインミラー７０で反射し、ペンタプリズム７２、ルーペレンズ７３を経て被写体を観察するようにしている。
【０１０８】
しかしながら、これに限られることなく、例えば開口部２７を全開状態にして被写体像をイメージャ４２に取り込み、撮像素子インターフェイス回路８０、画像処理コントローラ８１を経て、液晶モニタ８３にて逐次被写体の画像が表示されるようにしても良い。この場合、撮像動作時には、例えば、一旦先幕２５ａ（或いは後幕２５ｂ）によって開口部２７が閉じられ、イメージャ４２に蓄積されていた電荷が排出された後、通常の撮像動作に入るようにすればよい。
【０１０９】
以上のように、第１の実施形態によれば、エレクトレットシャッタユニット２１を使用することによって、レリーズ時のシャッタの作動音を小さくすることができる。更に、クイックリターンミラーに換えてエレクトレットシャッタユニットを採用することで、ミラーの作動音及びその作動により発生するショックがなくなる。
【０１１０】
（第２の実施形態）
上述した第１の実施形態では、エレクトレットシャッタユニット２１は、略４５°に傾けられて配置されていたが、イメージャ４２への露光時間を考慮すると、イメージャ４２の撮像面に対して略平行に配置されるのが好ましい。この第２の実施形態は、エレクトレットシャッタユニット２１がイメージャ４２の撮像面と略平行に配置された例である。
【０１１１】
尚、平行にすることによって、第１の実施形態のような４５°に設置する場合に比べて、エレクトレットシャッタの開口部面積が小さくなるので、エレクトレット全体の小型化に加え、駆動電圧の低下、部材コストの低減、カメラのスペース効率の向上といった利点が生まれる。
【０１１２】
図９は、本発明の第２の実施形態を示すもので、エレクトレットシャッタユニット２１が搭載されたデジタル一眼レフカメラの概略配置構成を示した図である。
【０１１３】
尚、この第２の実施形態は、上述した第１の実施の形態とは被写体からの光束を分岐するビームスプリッタを用いる構成が異なるだけであり、エレクトレットシャッタユニットが搭載されるカメラの構成及び基本的な動作等については、基本的に図６乃至図８に示されたものと同様であるので、同一の部分には同一の参照番号を付して、その図示及び説明は省略する。
【０１１４】
図９に於いて、このデジタル一眼レフカメラのボディユニット５０内には、レンズユニット５１内の図示されないレンズ群の光軸上に、被写体からの光束を分岐するビームスプリッタ４５が配置されている。このビームスプリッタ４５は、４５°の三角プリズムが２枚貼り合わされた形状で構成されているもので、その境界面に半透光性部材であるハーフミラーの層がコーティングされてハーフミラー面４５ａが設けられている。
【０１１５】
そして、このビームスプリッタ４５が、上述した第１の実施形態に於けるメインミラー７０（カバーガラス２３）に換わってイメージャ４２の前面部に設けられている。そして、このエレクトレットシャッタユニット２１の後方（図９に於いて右側）には、ビームスプリッタ４５のハーフミラー面４５ａを透過した光束がイメージャ４２に導かれるべく、光学ローパスフィルタ４０、イメージャ４２が配置されている。この場合、エレクトレットシャッタユニット２１内のシャッタ幕とイメージャ４２の撮像面とは、略平行に配置されている。
【０１１６】
一方、ビームスプリッタ４５のハーフミラー面４５ａで反射された被写体からの光束は、フォーカシングスクリーン７１、ペンタプリズム７２を介してルーペレンズ７３に至る。
【０１１７】
このように構成することにより、上述した第１の実施形態と同様に、レリーズ時のシャッタの作動音を小さくすることができると共に、その作動により発生するショックを防止することができる。加えて、イメージャ４２の撮像面と略平行にシャッタ幕を配置したので、シャッタ位置から撮像面までの距離が等しくなり、像がぼやける虞れがなくなる。
【０１１８】
以上、本発明の実施形態について説明したが、本発明は上述した実施形態以外にも、本発明の要旨を逸脱しない範囲で種々の変形実施が可能である。
【図面の簡単な説明】
【０１１９】
【図１】本発明に係る静電シャッタ装置の駆動原理について説明する図である。
【図２】エレクトレットシャッタの断面を模式的に示すと共に該エレクトレットシャッタの駆動回路を示した図である。
【図３】図２の駆動回路１０によって作成されて、駆動電極４Ａ〜４Ｄに印加される電圧信号列の例を示したもので、（ａ）は駆動電極４Ａ、（ｂ）は駆動電極４Ｂ、（ｃ）は駆動電極４Ｃ、（ｄ）は駆動電極４Ｄのタイミングチャートである。
【図４】図２に示されるエレクトレットシャッタ７の動作を説明する図である。
【図５】本発明に係る第１の実施形態のデジタル一眼レフカメラに適用されるエレクトレットシャッタユニットの構成を示したもので、（ａ）は正面図、（ｂ）は断面図である。
【図６】図５のエレクトレットシャッタユニット２１が搭載されたデジタル一眼レフカメラの概略配置構成を示した図である。
【図７】本発明の第１の実施形態に係るエレクトレットシャッタユニットを用いたデジタル一眼レフカメラの電気系のシステム構成を示すブロック図である。
【図８】図７のシャッタ駆動制御回路９０とエレクトレットシャッタユニット２１との信号接続を示す構成図である。
【図９】本発明の第２の実施形態を示すもので、エレクトレットシャッタユニット２１が搭載されたデジタル一眼レフカメラの概略配置構成を示した図である。
【符号の説明】
【０１２０】
１、２９ａ、２９ｂ…固定子、２…移動子、３、２７、２７ａ、２７ｂ…開口部、４、４Ａ〜４Ｄ、２８ａ、２８ｂ…駆動電極、５、５ａ、５ｂ、２６ａ、２６ｂ…永久分極された誘導体（エレクトレット）、７…エレクトレットシャッタ、１０…駆動回路、１２…パルス発生回路、１３…位相器、１４…昇圧回路、２０…撮像モジュール、２１…エレクトレットシャッタユニット、２３、２４…カバーガラス、２５ａ…先幕、２５ｂ…後幕、２７、２７ａ、２７ｂ…開口部、３３、３４…封止部材、３５〜３８…ガイド、４０…光学ローパスフィルタ、５０…ボディユニット、５１…レンズユニット、５２…記録メディア、５３…ストロボユニット、６１ａ、６１ｂ…撮影レンズ、６２…絞り、６５…レンズ制御用マイクロコンピュータ（Ｌμｃｏｍ）、７０…メインミラー、８０…撮像素子インターフェイス回路、８１…画像処理コントローラ、８５…ボディ制御用マイクロコンピュータ（Ｂμｃｏｍ）、９０…シャッタ駆動制御回路、９３…カメラ操作スイッチ（ＳＷ）、９５…電源回路、１０１…閃光発光部、１０３…ストロボ制御用マイクロコンピュータ。
【図１】
2005331828.tif 000003
【図２】
2005331828.tif 000004
【図３】
2005331828.tif 000005
【図４】
2005331828.tif 000006
【図５】
2005331828.tif 000007
【図６】
2005331828.tif 000008
【図７】
2005331828.tif 000009
【図８】
2005331828.tif 000010
【図９】
2005331828.tif 000011